(57)【要約】【課題】  サービスマン等によるメンテナンス（通紙経路のクリーニング）が、装置外部から届く範囲のみ／装置内部の必要に応じて行うことの正確さが向上し、不必要なメンテナンス時間の長時間化や、再クレームによるユーザの使い勝手とサービスマンのメンテナンス性の効率劣化を著しく解決するデジタル画像読取装置を提供する。【解決手段】  基準色部材２１を用いて読取素子で読み取った画像の濃淡補正を行う濃淡補正実行手段４２と、前記基準色部材２１を読み取った基準データを記憶するメモリ４３を備えたデジタル画像読取装置において、画面表示部７１と画面表示制御部７３を備え、前記画面表示制御部７３が前記メモリ４３内のデータを、数字で一覧表示する。【選択図】        図２
2005352871.tif 000002
【特許請求の範囲】
【請求項１】
基準色部材を用いて読取素子で読み取った画像の濃淡補正を行う濃淡補正実行手段と、前記基準色部材を読み取った基準データを記憶するメモリを備えたデジタル画像読取装置において、画面表示部と画面表示制御部を備え、前記画面表示制御部は、前記メモリ内のデータが前記画面表示部に一覧表示されるように表示制御を行うことを特徴とするデジタル画像読取装置。
【請求項２】
前記画面表示制御部は、調整可能な任意の閾値で指定される範囲の数字に対して、所要の識別加工を施して前記画面表示部に表示することを特徴とする請求項１記載のデジタル画像読取装置。
【請求項３】
前記画面表示制御部は、前記メモリ内のデータをＮ次元表示することを特徴とする請求項１記載のデジタル画像読取装置。
【請求項４】
基準色部材を用いて読取素子で読み取った画像の濃淡補正を行う濃淡補正実行手段と、前記基準色部材を読み取った基準データを記憶する第１のメモリを備えたデジタル画像読取装置において、外部から簡易に着脱可能な第２のメモリと、この第２のメモリを制御するメモリ制御手段を備え、前記メモリ制御手段の制御により、前記第１のメモリのデータを前記第２のメモリに複写することを特徴とするデジタル画像読取装置。
【請求項５】
前記第１のメモリのデータを前記第２のメモリに複写するさいに、データの付属情報を追加する制御手段を備え、前記第２のメモリ内に前記基準色部材を読み取った基準データと共にその付属情報も合わせて保存することを特徴とする請求項４記載のデジタル画像読取装置。
【請求項６】
縮小処理手段を備え、前記第１のメモリのデータを前記第２のメモリに複写するさいに縮小処理を施すことを特徴とする請求項４または５記載のデジタル画像読取装置。
【請求項７】
前記縮小処理手段は、画素あたり（８ｂｉｔ／画素）のデータを、１ライン分（７２００画素）として、５０％縮小処理を行い、前記第２のメモリでは１画素あたり（８ｂｉｔ／画素）のデータを１ライン分（３６００画素）として蓄積することを特徴とする請求項６に記載のデジタル画像読取装置。
【発明の詳細な説明】
【技術分野】
【０００１】
本発明は、シェーディング補正を有するデジタル複写機、ファクシミリ、多機能機等のデジタル画像読取装置に関するものである。
【背景技術】
【０００２】
オフィスでの取り扱い文書は増加の一途を辿っており、それら文書管理の効率化を図るため、白黒イメージスキャナを用いて、紙文書を２値化処理した電子イメージデータに落とし込む電子ファイリングシステムのニーズが高まっている（例えば特許文献１ないし５参照）。
オートドキュメントフィーダを具備するカラーイメージスキャナにおいては、通紙時の摩擦等により通紙経路に紙粉等を発生し、大量に通紙を重ねていくと紙粉等のゴミや汚れが通紙経路に蓄積する。この読み取り走査線上のゴミや汚れが原因となって、スジ状の異常画像を発生する。
ゴミや汚れが読み取り走査線上に付着することによる異常画像を防止するため、通紙枚数による通紙経路のクリーニングを、サービスマンやユーザが行うことで、異常画像発生の防止を図ってはいるが、紙粉の発生頻度は「紙質／紙厚」や「温湿度等の使用環境」にも影響され、通紙枚数を見て清掃することはあまり正確ではない。
上記のゴミや汚れがシェーディング補正の基準データに入り込んだ場合、スジ状の異常画像が特に発生しやすく、ゴミおよび汚れの影響がある画素の白基準データを隣接画素で補正する方法は、特許文献１および２に記載されている。
また上記補正では近傍画素から補間演算によりデータ算出するため、ゴミや汚れの状況（大きさや濃度変化量）に依存するため、対応力に限界があり、通紙経路のクリーニングをサービスマンやユーザが行うことが一番の対策である。
通紙経路のクリーニングは、ユーザが清掃することは逆にゴミや汚れを固着させてしまう可能性や、他の部分に新たな汚れを生む場合がある。また、安全性の面から機械内部に入り込んだゴミをユーザが分解して取り除くことはない。したがって、サービスマンが定期メンテナンスのときに清掃し、我慢できないユーザからはクレームということになり得ていた。
サービスマンが機械内部に入り込んだゴミを取り除く場合、機械の分解等が必要になるため必然的にメンテナンスに要する時間が長くなる。この間装置は使えなくなるためユーザの作業効率を著しく劣化させる。
また、通常サービスマンは通紙経路のクリーニングを、装置外部から届く範囲で実施するため、クリーニング後にまだ装置内部に入り込んだゴミの有無が正確に判断できないと、そのままメンテナンス終了とし、後日ユーザからクレームとして発覚し、ユーザの使い勝手の面、サービスマンのメンテナンス性の両面から、さらに効率が悪くなることがあった。
【特許文献１】特開２０００−１１５４８８公報
【特許文献２】特開２００１−０８６３３３公報
【特許文献３】特開平５−７５８５３号公報
【特許文献４】特開平６−７８１４７号公報
【特許文献５】特開平７−５８９１１号公報
【発明の開示】
【発明が解決しようとする課題】
【０００３】
しかしながら、デジタルシェーディング補正処理を有するデジタル画像処理装置において、前述の読み取り走査線上のゴミや汚れが原因で異常画像を発生してしまうという装置の状態を正確に判断する必要がある。
その判断結果をもってサービスマン等によるメンテナンス（通紙経路のクリーニング）が、装置外部から届く範囲のみ／装置内部の必要に応じて行うことによって、不必要なメンテナンス時間の長時間化や、再クレームによるユーザの使い勝手とサービスマンのメンテナンス性の効率劣化を解決する必要がある。
本発明の目的は、上述した実情を考慮して、サービスマン等によるメンテナンス（通紙経路のクリーニング）が、装置外部から届く範囲のみ／装置内部の必要に応じて行うことの正確さが向上し、不必要なメンテナンス時間の長時間化や、再クレームによるユーザの使い勝手とサービスマンのメンテナンス性の効率劣化を著しく解決するデジタル画像読取装置を提供することにある。
【課題を解決するための手段】
【０００４】
上記の課題を解決するために、請求項１に記載の発明は、基準色部材を用いて読取素子で読み取った画像の濃淡補正を行う濃淡補正実行手段と、前記基準色部材を読み取った基準データを記憶するメモリを備えたデジタル画像読取装置において、画面表示部と画面表示制御部を備え、前記画面表示制御部は、前記メモリ内のデータが前記画面表示部に一覧表示されるように表示制御を行うことを特徴とする。
また、請求項２に記載の発明は、前記画面表示制御部は、調整可能な任意の閾値で指定される範囲の数字に対して、所要の識別加工を施して前記画面表示部に表示することを特徴とする。
また、請求項３に記載の発明は、前記画面表示制御部は、前記メモリ内のデータをＮ次元表示することを特徴とする。
また、請求項４に記載の発明は、基準色部材を用いて読取素子で読み取った画像の濃淡補正を行う濃淡補正実行手段と、前記基準色部材を読み取った基準データを記憶する第１のメモリを備えたデジタル画像読取装置において、外部から簡易に着脱可能な第２のメモリと、この第２のメモリを制御するメモリ制御手段を備え、前記メモリ制御手段の制御により、前記第１のメモリのデータを前記第２のメモリに複写することを特徴とする。
また、請求項５に記載の発明は、前記第１のメモリのデータを前記第２のメモリに複写するさいに、データの付属情報を追加する制御手段を備え、前記第２のメモリ内に前記基準色部材を読み取った基準データと共にその付属情報も合わせて保存することを特徴とする。
また、請求項６に記載の発明は、縮小処理手段を備え、前記第１のメモリのデータを前記第２のメモリに複写するさいに縮小処理を施すことを特徴とする。
また、請求項７に記載の発明は、前記縮小処理手段は、画素あたり（８ｂｉｔ／画素）のデータを、１ライン分（７２００画素）として、５０％縮小処理を行い、前記第２のメモリでは１画素あたり（８ｂｉｔ／画素）のデータを１ライン分（３６００画素）として蓄積することを特徴とする。
【発明の効果】
【０００５】
本発明によれば、デジタル画像読取装置は、基準白板とデジタル演算によるシェーディング補正手段と、読み取った基準白板データを記憶するメモリを備え、画面表示部と画面表示制御部を具備し、画面表示制御部がメモリ内の基準白板データを画面表示部に数字で一覧表示することによって、サービスマンが基準白板データのデジタル値を直接確認可能となる。
このことによって値が小さくなっている部分が、基準白板データがうまく取り込まれていない部分になり、すなわち基準白板走査線上に付着したゴミや汚れの影響を一目瞭然に判別可能とし、そのことによる異常画像を発生してしまうという装置の状態を正確に把握することが可能となる。
サービスマン等によるメンテナンス（通紙経路のクリーニング）が、装置外部から届く範囲のみ／装置内部の必要に応じて行うことの正確さが向上し、不必要なメンテナンス時間の長時間化や、再クレームによるユーザの使い勝手とサービスマンのメンテナンス性の効率劣化を著しく解決することができる。
【発明を実施するための最良の形態】
【０００６】
以下、図面を参照して、本発明の実施形態を詳細に説明する。図１は本発明におけるデジタル画像読取装置の全体構成を示す概略図である。図１において、原稿台ガラス１上に置かれた原稿は、第１ミラー２と一体に構成された照明ランプ３により照射される。
その反射光は、第１ミラー２および一体に構成された第２ミラー４、第３ミラー５で走査される。その後反射光は、レンズ３８により集束され、ＣＣＤ６に照射され光電変換される。第１ミラー２、照明ランプ３、および第２ミラー４、第３ミラー５は、走行体モータ７を駆動源として、Ａ方向に移動可能となっている。
原稿トレイ８に積載された原稿は、ピックアップローラ９、レジストローラ対１０、搬送ドラム１１、搬送ローラ１２により読み取り位置Ｂを経て、排紙ローラ対１３、１４へ送り込まれ、排紙トレイ１５上に排出される。
原稿は、読み取り位置Ｂを通過するさいに、読み取り位置Ｂ近傍に移動している照明ランプ３により照射され、その反射光はレンズ３８により集束され、ＣＣＤ６に照射され光電変換される。
これらの処理におけるピックアップローラ９、レジストローラ対１０は給紙モータ（図示せず）により駆動され、搬送ドラム１１、搬送ローラ１２、排紙ローラ対１３、１４は、搬送モータ１６により駆動される。
【０００７】
図２は本発明によるデジタル画像読取装置におけるビデオ処理回路の第１の実施形態を示すブロック回路図である。図２において、センサ回路４１は、ＣＣＤ光電変換素子を用いたラインセンサとＡ／Ｄコンバータとそれらの駆動回路で構成される。
ラインセンサは原稿を走査することで濃淡の電気信号を出力し、Ａ／Ｄコンバータはその濃淡電気信号を８ビットのデジタル信号に変換され、次処理に出力する。シェーディング補正処回路４２は、走査ライン毎にシェーディング補正を行い、照明ムラやＣＣＤの画素毎の感度ムラに等に起因するバラツキを補正する。なお、第１のメモリ４３については後述する。
変倍回路４４はユーザから指定される変倍率に従って、拡大／縮小処理を施す。画像処理回路部４５は、ＭＴＦ補正、平滑化、固定閾値２値化、ディザ等の各種画像処理を行う。その詳細に関しては後述する。
メモリコントローラ４６は、画像処理が施されたビデオデータを第２のメモリ４７に蓄積するとともに、Ｉ／Ｆコントローラ４８からの要求にしたがい、第２のメモリ４７に蓄積したビデオデータを外部ホスト４９に転送するさいのメモリ制御を行う。また、制御全体を司るＣＰＵ５５は、このメモリコントローラ４６を経由して第２のメモリ４７を読み書きすることができる。
第２のメモリ４７は、読み取りスピードと外部ホスト４９へのビデオ転送スピード間に発生する速度差を吸収するために設けたビデオデータを複数ページ記憶可能なメモリである。
【０００８】
Ｉ／Ｆコントローラ４８は外部ホスト４９と本スキャナの接続Ｉ／Ｆに準拠したデータ転送の制御を行うコントローラで、バスのアービトレーション、ビデオデータ転送、本読み取り装置制御全体を司るＣＰＵ５５と外部ホスト４９との各種モード設定制御コマンドのやりとりも行う。本実施形態では、ＳＣＳＩ  Ｉ／Ｆのコントローラを使用した。
外部ホスト４９、ＣＲＴ５０は、いわゆるパーソナルコンピュータである。スキャナの操作者は、パーソナルコンピュータにインストールされたアプリケーションソフトを介して、各種モードを設定して所望のスキャン動作を実行し、コンピュータにデジタル画像イメージを取り込むことができる。
ＣＰＵ５５は本読み取り装置制御全体を司るＣＰＵで、各回路／コントローラ／メモリ部の設定やステータスチェックを行う。引き続き図１、図２にしたがって、シェーディング補正に関して説明する。
センサ回路４１からの出力ビデオデータはＣＣＤ６の画素毎の感度ムラ、照明ランプ３からの光量が走査線上の中央部で一番高くなることによる照度歪みが原因で、一様な濃度の原稿を読み取ったにも拘わらずバラツキや歪みを持っている。
この歪みを補正するために、均一白となる白基準板２１のデータを読み取り、「白基準データ」として第１のメモリ４３に保存する。すなわち前記した主走査方向の「バラツキ、歪み」の具合を示すデータがメモリ４３に取り込まれる。
シェーディング補正回路４２は、センサ回路４１から送られてくる原稿を読み取ったビデオデータに対して、画素毎に対応する「白基準データ」からその「バラツキ、歪み」を補正し、次段の変倍回路４４に出力する。この「白基準データ」の取り込みは、電源オン後に、原稿を走査する毎に白基準板２１のデータを読み取ることで行っている。
【０００９】
次に変倍処理（密度変換）に関して説明する。本実施形態では主副独立の変倍処理を行っている。主走査方向の読み取り密度変換は電気変倍により行う。レンズ３８の絞り（集束率）およびＣＣＤ６上の読み取り画素数は固定であるため、主走査方向の読み取り密度は一定値となる。
本実施形態では、この主走査方向の読み取り密度が６００ｄｐｉになるように構成している。この６００ｄｐｉでの読み取りデータに対して、変倍回路４３はラインメモリ（図示しない）を使用した補間処理を行いながら間引き処理や２度書きを行うことで、任意のｄｐｉに密度変換する。
例えば、３００ｄｐｉに縮小（５０％）するには、６００ｄｐｉ読み取りデータの隣り合う画素を補間処理しながら間引き処理し、２画素から１画素に変換する。また、１２００ｄｐｉに拡大（２００％）するには、１画素を補間処理しながら２度書きすることで２画素に変換する。
副走査方向の読み取り密度変換は機械変倍により行う。走行体モータ７および搬送モータ１６にはステッピングモータを使用し、ＣＰＵ５５がこれらのモータ７、１６の駆動スピードを変えることによって、原稿の副走査方向の走査スピードを変化させ、すなわち副走査方向の読み取り密度を変えることによって密度変換する。
例えば、６００ｄｐｉでの走査スピード：λに対して、３００ｄｐｉ（５０％縮小）で読み取るには、走査スピード：２×λで走査するようにモータを駆動し、１２００ｄｐｉ（２００％拡大）で読み取るには、走査スピード：λ／２で走査するようにモータを駆動する。
【００１０】
次に本実施形態での画像処理回路部を図２のブロック図にしたがって説明する。画像処理回路部４５は、文字処理部６０、絵柄処理回路部６３、画像信号選択回路６６で構成している。
文字処理回路部６０は文字部の視読性や再現性を良くするためにハッキリ・クッキリになるような処理を実施する。つまりＭＴＦ補正回路６１によってビデオデータを鮮鋭化させ、固定閾値２値化回路６２にて２値化処理することによって「クッキリ」とした２値画像を生成する。
絵柄処理回路部６３は、絵柄部を階調性豊かで滑らかに再現するための処理を施す。つまり平滑化回路６４によりビデオデータを滑らかにした後、ディザ処理回路６５による擬似中間調処理を用いた２値化処理をすることによって、階調製豊かな２値画像を生成する。
画像信号選択回路６６は、ユーザが設定する読み取りモード情報にしたがって、文字処理回路部６０で２値化された文字処理画像、もしくは絵柄処理回路部６３でディザ処理された絵柄処理画像を選択し出力する。モード情報は操作部もしくは外部ホスト４９を介してユーザにより設定され、制御全体を司るＣＰＵ５５が画像信号選択回路６６に通知する。
図３は本発明における操作表示部を説明するブロック回路図である。操作表示装置７０は操作者とのインターフェースを行う部分で、マシンの種々の状態や操作方法を促す表示を行うＬＣＤ回路（液晶表示装置）７１と、操作者からの入力を検知するスイッチ群（スイッチ回路）７２から構成される。
ＬＣＤ回路７１はＬＣＤを駆動する回路部で操作表示制御回路７３からの指示にしたがって、操作者に対する各種情報を表示する。スイッチ回路７２はスイッチ群とその駆動回路から構成され、操作者によってスイッチが操作されるとその情報を操作表示制御回路７３に出力する。
操作表示制御回路７３は、本画像読取装置全体の制御を司るＣＰＵ５５とＬＣＤ回路７１とスイッチ回路７２とのやり取りを制御する回路である。すなわちＣＰＵ５５から指示される表示コマンドにしたがい、ＬＣＤに指示された内容を表示するようにＬＣＤ回路７１を駆動させるとともに、スイッチ回路７２からの入力を検知すると、どのスイッチがどのように操作されたかの情報をＣＰＵ５５に知らせる。
【００１１】
図４は基準白板の走査線上に付着したゴミや汚れの影響を確認する方法を説明するためにシェーディング補正処理回路周辺を示すブロック回路図である。図２および図４を参照して、基準白板の走査線上に付着したゴミや汚れの影響を確認する方法を説明する。
通常の基準白板読み取り動作時には、センサ回路４１からの基準白板読み取りビデオデータは、白基準生成回路７５に入力される。この白基準生成回路７５では、最初の１ライン目のビデオデータは、そのままメモリ４３に蓄積するが、２ライン目からは画素毎にメモリ４３に蓄積したデータを読み出し、その加重平均処理を行いながら揮発性メモリに書き戻す。
以下に、加重平均を式で示す。
ＳＤｎ（ｌ）＝（Ｄｎ（ｌ）＋ＳＤｎ（ｌ−１））／２
Ｄｎ（ｌ）：センサから入力される基準白板読み取りビデオデータ
ＳＤｎ（ｌ−１）：揮発性メモリに蓄積された前ラインの白基準データ
ＳＤｎ（ｌ）：新しく生成した白基準データ
ｎ：１ライン中の画素位置を示し、ｎ＝１〜７２００の値をとる。
ｌ：ライン数を示す。
※ｌ＝１のときは、ＳＤｎ（１）＝Ｄｎ（１）
この読み取りにより、第１のメモリ４３には白基準データが生成蓄積される。このときにシェーディング補正演算回路７６は停止している。次に通常の原稿読み取り動作時には、センサ回路４１からの原稿読み取りビデオデータはシェーディング補正演算回路７６に入力する。
シェーディング補正演算回路７６は、第１のメモリ４３に蓄積された白基準データを用いてシェーディング補正を施し、セレクタ７７に転送する。このときは当然ではあるが白基準生成回路７５は停止する。セレクタ７７はシェーディング補正演算回路７６から受け取ったデータを選択し、変倍回路４４に出力する。
【００１２】
次に、基準白板データのチェック動作に関して説明する。ＣＰＵ５５は操作表示装置から「基準白板データチェック」のスイッチ入力を検知すると、シェーディング補正回路４２を介して、第１のメモリ４３に蓄積された白基準データを順次読み出していくとともに、各白基準データの位置とデジタル値をＬＣＤに表で出力させていく。
図５は白基準データの位置とデジタル値の表示例を示す図である。この数字を確認することにより、基準白板２１の走査線上に付着したゴミや汚れの影響が一目瞭然に確認可能とすることができるようなった。
例えば、サービスマン等がメンテナンス（通紙経路のクリーニング）を行った後にチェックすることにより、基準白板２１の走査線上に付着したゴミや汚れがうまく除去できたかを確認することができる。
もし、クリーニング後においても汚れ等が認められる場合は、クリーニングした範囲外にまだゴミ等が入り込んでいるものとして、装置内部のクリーニングまで実施することができる。
ＣＰＵ５５は操作表示装置から「基準白板データチェック」のスイッチ入力を検知すると、シェーディング補正処理回路４２を介して、第１のメモリ４３に蓄積された白基準データを順次読み出していくとともに、各白基準データの位置とデジタル値をＬＣＤに表で出力させていく。
図６は白基準データの位置とデジタル値の表示例を示す図である。各白基準データの位置とデジタル値をＬＣＤに表で出力させていくときにデジタル値が「１５０以下」であった場合は、赤色にて表示させる。また、「１５０」という閾値は、サービスマンから設定可能なパラメータである。
【００１３】
図７はサービスマンが操作表示装置上からパラメータを入力するときの表示例を示す図である。図７にはサービスマンが操作表示装置上から前述の設定可能なパラメータを入力するときの表示例を示している。
この場合、例えば、値が低い部分を赤色で示して識別できるようにすることにより、サービスマンのデータ異常値に対する判読性が向上し、より正確に基準白板２１の走査線上に付着したゴミや汚れの影響が一目瞭然に確認可能とすることができるようなる。
例えば、サービスマン等がメンテナンス（通紙経路のクリーニング）を行ったあとにチェックすることにより、基準白板の走査線上に付着したゴミや汚れがうまく除去できたかを確認することができる。
もし、クリーニング後においても汚れ等が認められる場合は、上述したように、クリーニングした範囲外にまだゴミ等が入り込んでいるものとして、装置内部のクリーニングまで実施することができる。
図８は縦軸に各画素のデジタル値、横軸にライン中の画素位置としてグラフ表示する白基準データを示す図である。ＣＰＵ５５は操作表示装置７０から「基準白板データチェック」のスイッチ入力を検知すると、シェーディング補正処理回路４２を介して、メモリ４３に蓄積された白基準データを順次読み出していく。
これとともに、各白基準データの位置とデジタル値をＬＣＤに２次元グラフ化させて出力する。つまり１ライン分の基準白板データに対し、縦軸に各画素のデジタル値／横軸にライン中の画素位置として、グラフ表示させる。
画面表示部にグラフ化して表示することによって、サービスマンが基準白板データのデジタル値を判りやすく確認可能となる。このグラフを確認することにより、基準白板の走査線上に付着したゴミや汚れの影響が一目瞭然に確認可能とすることができるようなった。
上述したと同様に、例えば、サービスマン等がメンテナンス（通紙経路のクリーニング）を行ったあとにチェックすることにより、基準白板の走査線上に付着したゴミや汚れがうまく除去できたかが確認することができる。
もし、クリーニング後においても汚れ等が認められる場合は、クリーニングした範囲外にまだゴミ等が入り込んでいるものとして、装置内部のクリーニングまで実施することができる。
【００１４】
図９は本発明によるデジタル画像読取装置におけるビデオ処理回路の第２の実施形態を示すブロック回路図である。図９の説明において図２の第１の実施形態と重複する部分は説明を省略する。
画像処理回路部４５はフィルタ処理回路８０、固定閾値２値化回路８１、ディザ処理回路８２等において各種画像処理を行うが、その詳細に関しては後述する。ＳＤ−ＣＡＲＤコネクタ５１、ＳＤ−ＣＡＲＤ５２はフラッシュメモリを内蔵した小型メモリ装置である。
この小型メモリ装置は簡易に装置着脱可能で携帯性に優れていることから近年普及したメモリ装置である。スマートメディア、コンパクトフラッシュ、メモリスティック、ＳＤカード等があるが、本実施形態では、ＳＤカードを使用している。
画像処理回路部４５は、フィルタ処理回路８０、固定閾値２値化回路８１、ディザ処理回路８２、画像信号選択回路８３で構成している。フィルタ処理回路８０では、ビデオデータを鮮鋭化するためのＭＴＦ補正処理や、滑らかさを向上するための平滑化処理を行う。
固定閾値２値化回路８１は、所定の閾値で２値化することによって「クッキリ」とした２値画像を形成する。ディザ処理回路８２は、擬似中間調処理を用いた２値化処理で、階調性豊かで滑らかな２値画像を生成する。
画像信号選択回路８３は、ユーザが設定する読み取りモード情報にしたがって、固定閾値２値化された「くっきり」した２値画像か、ディザ処理された階調性豊かで滑らかな２値画像か、フィルタ処理のみされたデータサイズは大きいが再現品質が良い多値画像かを選択し、出力する。
このときの読み取りモード情報は、操作部もしくはホストを介してユーザにより設定され、制御全体を司るＣＰＵ５５が画像信号選択回路に通知する。ユーザは、例えば文字部の視読性や再現性を良くするためハッキリ・クッキリになるような画像を得たい場合は、フィルタ処理回路８０でＭＴＦ補正処理を行い固定閾値２値化回路８１で処理した２値化画像を選択する。
また、絵柄を階調性豊かで滑らかに再現した画像を得たい場合は、フィルタ処理回路８０で平滑化処理を行いディザ処理回路８２で処理した２値画像を選択する。また、データサイズが大きくなることを気にすることなく、原稿の情報をより詳細に再現した画像を得たい場合は、多値画像を選択する。
次に通常の原稿読み取り動作時には、図３および図４に示したように、センサ回路４１からの原稿読み取りビデオデータはシェーディング補正演算回路７６に入力し、シェーディング補正演算回路７６は、第１のメモリ４３に蓄積された白基準データを用いてシェーディング補正を施し、セレクタ７７に転送する。
このときは当然ではあるが白基準生成回路７５は停止する。セレクタ７７はシェーディング補正演算回路７６から受け取ったデータを選択し、変倍回路４４に出力する。
【００１５】
次に、基準白板データのチェック動作に関して説明する。基準白板データをチェックするさいには、サービスマンはＳＤ−ＣＡＲＤメモリ５２をＳＤ−ＣＡＲＤコネクタ５１に装着する。次に操作表示装置７０を操作し、「基準白板データチェック」のスイッチを押下する。
ＣＰＵ５５は操作表示装置７０から「基準白板データチェック」のスイッチ入力を検知すると、シェーディング補正回路４２を介して、第１のメモリ４３に蓄積された白基準データを読み出す。このときにセレクタ７７はシェーディング補正演算回路７６ではなく、第１のメモリ４３から受け取ったデータを選択し、変倍回路４４に出力する。
変倍回路４４はとくに変倍処理を行わず受け取った白基準データを画像処理回路部４５に転送する。この画像処理回路部４５でのフィルタ処理回路８０においてもとくに処理を行わずに受け取ったデータを出力する。
画像信号選択回路８３ではフィルタ処理回路８０から受け取った多値ビデオを選択し次段に出力する。メモリコントローラ４６は受け取った白基準データを第２のメモリ４７に蓄積する。
Ｉ／Ｆコントローラ４８はメモリコントローラ４６を介して第２のメモリ４７内の白基準データを、ＳＤ−ＣＡＲＤコネクタ５１を介してＳＤ−ＣＡＲＤメモリ５２に転送する。ＣＰＵ５５は第１のメモリ４３内の白基準データがＳＤ−ＣＡＲＤメモリ５２に転送し終わるとその旨を操作表示装置に出力表示する。
サービスマンは操作表示装置７０を見て、白基準データの転送が終了するとＳＤ−ＣＡＲＤメモリ５２を、画像読取装置から外す。次にＳＤ−ＣＡＲＤメモリ５２をノートＰＣ等に接続し、ＳＤ−ＣＡＲＤメモリ５２内の白基準データをＨＥＸダンプさせてチェックする。
【００１６】
図１０はＨＥＸダンプによる表示例を示す図である。この数字を確認することにより、基準白板の走査線上に付着したゴミや汚れの影響が一目瞭然に確認可能とすることができるようになる。
例えば、サービスマン等がメンテナンス（通紙経路のクリーニング）を行ったあとにチェックすることにより、基準白板の走査線上に付着したゴミや汚れがうまく除去できたかを確認することができる。
もし、クリーニング後においても汚れ等が認められる場合は、クリーニングした範囲外にまだゴミ等が入り込んでいるものとして、装置内部のクリーニングまで実施することができる。
画像処理回路部４５でのフィルタ処理回路８０においてもとくに処理を行わずに受け取ったデータを出力する。画像信号選択回路８３ではフィルタ処理回路６０から受け取った多値ビデオを選択し次段に出力する。
このときに画像処理回路部４５では、白基準データのデータの変化量をより強調するために、フィルタ処理回路８０にてＭＴＦ補正処理を行っても良い。また、白基準データの変化量を簡易的に判別するために、固定閾値２値化回路８１での処理やディザ処理回路８２で処理を行っても良い。
メモリコントローラ４６は受け取った白基準データを第２のメモリ４７に蓄積する。ＣＰＵ５５は第２のメモリ４７に蓄積した白基準データに対し、サイズやビット深度、解像度等の付属情報を汎用の画像フォーマットのヘッダデータの形態で追記する。本実施形態ではＴＩＦＦファイルフォーマットを使用した。
Ｉ／Ｆコントローラ４８はメモリコントローラ４６を介して第２のメモリ４７内のＴＩＦＦフォーマットのイメージデータ化された白基準データを、ＳＤ−ＣＡＲＤコネクタ５１を介してＳＤ−ＣＡＲＤメモリ５２に転送する。
ＣＰＵ５５は第１のメモリ４３内の白基準データがＳＤ−ＣＡＲＤメモリ５２に転送し終わるとその旨を操作表示装置７０に出力表示する。サービスマンは操作表示装置７０をみて、白基準データの転送が終了するとＳＤ−ＣＡＲＤメモリ５２を画像読取装置から外す。
【００１７】
図１１は白基準データを汎用のイメージビューアに表示させてチェックするその表示例を示す図である。ＳＤ−ＣＡＲＤメモリ５２をノートＰＣ等に接続し、ＳＤ−ＣＡＲＤメモリ５２内の白基準データを汎用のイメージビューアに表示させてチェックする。この画像を確認することにより、基準白板の走査線上に付着したゴミや汚れの影響が一目瞭然に確認可能とすることができるようなった。
基準白板データのチェック動作に関して説明する。基準白板データをチェックするさいには、サービスマンはＳＤ−ＣＡＲＤメモリ５２をＳＤ−ＣＡＲＤコネクタ５１に装着する。次に、先に図３に示した操作表示装置７０を操作し、「基準白板データチェック」のスイッチを押下する。
ＣＰＵ５５は操作表示装置７０から「基準白板データチェック」のスイッチ入力を検知すると、シェーディング補正処理回路４２を介して、第１のメモリ４３に蓄積された白基準データを読み出す。
このとき図４に示したセレクタ７７はシェーディング補正演算回路７６ではなく、第１のメモリ４３から受け取ったデータを選択し、変倍回路４４に出力する。変倍回路４４で、受け取った白基準データに対し縮小処理を施し、画像処理回路部４５に転送する。本実施形態では５０％縮小を実施した。
以後の処理は、上記と同様なので省略する。このことにより、ＳＤ−ＣＡＲＤメモリ５２内の必要なメモリサイズを小さくすることが可能となり、効率的に上述した効果を提供することができる。
【００１８】
さらに、基準白板データのチェック動作に関して説明する。基準白板データをチェックするさいには、サービスマンはＳＤ−ＣＡＲＤメモリ５２をＳＤ−ＣＡＲＤコネクタ５１に装着する。次に操作表示装置７０を操作し、「基準白板データチェック」のスイッチを押下する。
ＣＰＵ５５は操作表示装置７０から「基準白板データチェック」のスイッチ入力を検知すると、基準白板の読み取り動作を行う。このことによりセンサ回路４１から基準白板を読み取った画像データが入力する。
このときにセレクタ７７はシェーディング補正演算回路７６ではなく、センサ回路４１から受け取った基準白板を読み取った画像データを選択し、変倍回路４４に出力する。この変倍回路４４は特に変倍処理を行わず受け取った基準白板を読み取った画像データを画像処理回路部４５に転送する。
画像処理回路部４５でのフィルタ処理回路８０においてもとくに処理を行わずに受け取ったデータを出力する。画像信号選択回路８３ではフィルタ処理回路８０から受け取った多値ビデオを選択し次段に出力する。
メモリコントローラ４６は基準白板から読み取った画像データを第２のメモリ４７に蓄積する。Ｉ／Ｆコントローラ４８はメモリコントローラ４６を介して第２のメモリ４７内の画像データを、ＳＤ−ＣＡＲＤコネクタ５１を介してＳＤ−ＣＡＲＤメモリ５２に転送する。
ＣＰＵ５５は第２のメモリ４７内の画像データがＳＤ−ＣＡＲＤメモリ５２に転送し終わるとその旨を操作表示装置７０に出力表示する。サービスマンは操作表示装置７０をみて、画像データの転送が終了するとＳＤ−ＣＡＲＤメモリ５２を、画像読取装置から外す。次にＳＤ−ＣＡＲＤメモリ５２をノートＰＣ等に接続し、ＳＤ−ＣＡＲＤメモリ５２内の基準白板を読み取った画像データを、ＨＥＸダンプさせてチェックする。
【００１９】
本発明によれば、画面表示制御部が調節可能な任意の閾値で指定される数字に対して、ハッチングや赤色表示等の識別加工を施して画面表示部に表示させることによって、サービスマンが基準白板のデータのデジタル値をチェックするさいに、ある閾値以下（値の小さな）の数値がハッチング／赤色表示されることで、より異常値に対する判読性が向上することになる。すなわちサービスマンの数字チェック時の漏れ／抜けを防止することになる。
本発明によれば、また、デジタル画像読取装置は基準白板とデジタル演算によるシェーディング補正処理回路と、読み取った基準白板データを記憶するメモリを備え、画面表示部と画面表示制御部を具備し、画面表示制御部がメモリ内の基準白板データを２次元のグラフ化して表示する。つまり１ライン分の基準白板データに対し、縦軸に各画素のデジタル値／横軸にライン中の画素位置としてグラフ表示させる。
画面表示部にグラフ化して表示することによって、サービスマンが基準白板データのデジタル値を判りやすく確認可能となる。このことによりグラフ上で値が小さくなっている部分が、基準白板データがうまく取り込まれていない部分となり、すなわち基準白板走査線上に付着したゴミや汚れの影響を一目瞭然に判別可能とし、そのことによって異常画像を発生してしまうという装置の状態を正確に把握することが可能となる。
サービスマン等によるメンテナンス（通紙経路のクリーニング）が、装置外部から届く範囲のみ／装置内部の必要に応じて行うことの正確さが向上し、不必要なメンテナンス時間の長時間化や、再クレームによるユーザの使い勝手とサービスマンのメンテナンス性の効率劣化を著しく解決することができる。
【００２０】
本発明によるデジタル画像読取装置は基準白板２１とデジタル演算によるシェーディング補正手段４２と、読み取った基準白板データを記憶する第１のメモリ４３を備え、外部から簡易に着脱可能な第２のメモリ４７と、この第２のメモリ４７のメモリコントローラ（制御手段）４６を備え、サービスマンからの指示にしたがって、第１のメモリ４３のデータを第２のメモリ４７に複写させる。
その後、第２のメモリをデジタル画像読取装置から外し、第２のメモリ内のデータをＰＣ等でチェックする（例えばデジタル値をＨＥＸダンプチェックする）ことで、サービスマンが基準白板データを直接確認可能となる。
このことにより値が小さくなっている部分が、基準白板データがうまく取り込まれていない部分になり、すなわち基準白板２１走査線上に付着したゴミや汚れの影響を一目瞭然に判別可能とし、そのことによる異常画像を発生してしまうという装置の状態を正確に把握することが可能となる。
したがって、サービスマン等によるメンテナンス（通紙経路のクリーニング）が、装置外部から届く範囲のみ／装置内部の必要に応じて行うことの正確さが向上し、不必要なメンテナンス時間の長時間化や、再クレームによるユーザの使い勝手とサービスマンのメンテナンス性の効率劣化を著しく解決することができる。
また、第２メモリ４７をＰＣ（パーソナルコンピュータ）でチェックしている間に、ユーザはデジタル画像読取装置を使用できることになるため、ユーザの使い勝手も著しく向上させることもできた。
第１のメモリ４３のデータを第２のメモリ４７に複写するさいに、データの付属情報を追加するＣＰＵ（制御手段）５５を備え、第２のメモリ４７内に基準部材２１を読み取った基準データと共にその付属情報を合わせて保存させる。
つまり、第１のメモリ４３のデータのサイズやビット深度、解像度等の付属情報を汎用の画像フォーマットのヘッダファイルの形態で追加することにより、第２のメモリ４７にはＢＭＰやＴＩＦＦ等の汎用フォーマットの画像ファイルの形態で蓄積される。
これにより第２のメモリ４７内のデータをＰＣ等でチェックするさいに、汎用のイメージビューアが使用できることになり、このことによるサービスマンのメンテナンス用のツールの開発効率を高めること、すなわちデジタル画像読取装置を低コストに提供することができる。
【００２１】
縮小処理手段を備え、第１のメモリ４３のデータを第２のメモリ４７に複写する際に、縮小処理を施す。具体的には第１のメモリ４３において、１画素あたり「８ｂｉｔ／画素」のデータが、１ライン分「７２００画素」とすると、５０％縮小処理を行い、第２のメモリ４７では１画素あたり「８ｂｉｔ／画素」のデータを１ライン分「３６００画素」として蓄積する。
このことにより画像処理に搭載している機能（縮小処理）を効率的に活用しながら、第２のメモリ４７のサイズを小さくすることが可能となる。
本発明によれば、デジタル画像読取装置は、基準白板とデジタル演算によるシェーディング補正処理回路４２と、読み取った基準白板の画像データを記憶する第１のメモリ４３を備え、外部から簡易に着脱可能な第２のメモリ４７と、この第２のメモリ４７のメモリコントローラ（メモリ制御手段）４６を具備し、サービスマンからの指示にしたがって、前記第１のメモリ４３のデータを第２のメモリ４７に複写させる。
その後第２のメモリ４７をデジタル画像読取装置から外し、第２のメモリ４７内のデータをＰＣ等でチェックする（例えばデジタル値をＨＥＸダンプチェックする）ことで、サービスマンが基準白板の画像データを直接確認可能となる。
本発明において、基準データを記憶する場合には、加重平均されるため、ゴミの影響が見えにくく（視認しづらく）なるが、１ライン分のデータのため、記憶容量を小さくでき、すなわち、低コストで実現できる。
一方、画像データを記憶する場合には、複数ライン分のデータになる記憶領域が大きくなるが、正確にゴミの影響、形まで確認できる。
【図面の簡単な説明】
【００２２】
【図１】本発明の実施形態におけるデジタル画像読取装置の全体構成を示す概略図。
【図２】本発明によるデジタル画像読取装置におけるビデオ処理回路の第１の実施形態を示すブロック回路図。
【図３】本実施形態にかかる操作表示部を説明するブロック回路図。
【図４】基準白板の走査線上に付着したゴミや汚れの影響を確認する方法を説明するためにシェーディング補正処理回路周辺を示すブロック回路図。
【図５】白基準データの位置とデジタル値の表示例を示す図。
【図６】白基準データの位置とデジタル値の表示例を示す図。
【図７】サービスマンが操作表示装置上からパラメータを入力するときの表示例を示す図。
【図８】縦軸を各画素のデジタル値、横軸をライン中の画素位置としてグラフ表示する白基準データを示す図。
【図９】本発明によるデジタル画像読取装置におけるビデオ処理回路の第２の実施形態を示すブロック回路図。
【図１０】ＨＥＸダンプによる表示例を示す図。
【図１１】白基準データを汎用のイメージビューアに表示させてチェックするさいの表示例を示す図。
【符号の説明】
【００２３】
２１  基準色部材（基準白板）、４２  濃淡補正実行手段（シェーディング補正処理回路）、４３  メモリ（第１のメモリ）、４４  変倍回路（縮小処理手段）、４５  画像処理回路部、５２  ＳＤカード、５５  ＣＰＵ、７０  操作表示装置、７１  ＬＣＤ回路（液晶表示装置、画面表示部）、７２  スイッチ回路、  ７３  画面表示制御部（操作表示制御回路）
【図１】
2005352871.tif 000003
【図２】
2005352871.tif 000004
【図３】
2005352871.tif 000005
【図４】
2005352871.tif 000006
【図５】
2005352871.tif 000007
【図６】
2005352871.tif 000008
【図７】
2005352871.tif 000009
【図８】
2005352871.tif 000010
【図９】
2005352871.tif 000011
【図１０】
2005352871.tif 000012
【図１１】
2005352871.tif 000013